(57)【要約】  本発明は、ページング処理方法、ユーザ機器（ＵＥ）、ネットワーク機器及びコンピュータ記憶媒体を開示し、前記方法は、ページングパラメータ及び／又はページング計算式を調整して、調整後のページングパラメータ及び／又はページング計算式を取得するステップと、調整後のページングパラメータ及び／又はページング計算式に基づいて、調整後のページングフレーム及び／又はページング時点を決定するステップとを含む。
2021514559.tif 000002
【特許請求の範囲】
【請求項１】
ユーザ機器（ＵＥ）に適用されるページング処理方法であって、
ページングパラメータ及び／又はページング計算式を調整して、調整後のページングパラメータ及び／又はページング計算式を取得するステップと、
調整後のページングパラメータ及び／又はページング計算式に基づいて、調整後のページングフレーム及び／又はページング時点を決定するステップとを含む、前記ページング処理方法。
【請求項２】
ネットワーク側から送信されるアンライセンスページング強化モードの指示を受信するステップと、
アンライセンスページング強化モードの指示に基づいて、ページングパラメータ及び／又はページング計算式を調整することを決定するステップとをさらに含む
請求項１に記載のページング処理方法。
【請求項３】
前記ページングパラメータ及び／又はページング計算式を調整するステップは、
ページングサイクルを減少させるステップを含む
請求項１に記載のページング処理方法。
【請求項４】
前記ページングパラメータ及び／又はページング計算式を調整するステップは、
ページング計算式におけるパラメータを調整するステップを含む
請求項１に記載のページング処理方法。
【請求項５】
前記ページング計算式におけるパラメータを調整するステップは、
再構成後の変数Ｎの値を再構成前の値より大きくするように、ページング計算式における変数Ｎを再構成するステップを含む
請求項４に記載のページング処理方法。
【請求項６】
前記ページングパラメータ及び／又はページング計算式を調整するステップは、
ページング計算式における少なくとも１つの計算パラメータ及び数値を計算して、調整後のページング計算式を得るステップを含む
請求項１に記載のページング処理方法。
【請求項７】
前記ページングパラメータ及び／又はページング計算式を調整するステップは、
ページングフレームにおけるページング時点を増加させるステップを含む
請求項１に記載のページング処理方法。
【請求項８】
ネットワーク機器に適用されるページング処理方法であって、
ページングパラメータ及び／又はページング計算式を調整して、調整後のページングパラメータ及び／又はページング計算式を取得するステップと、
調整後のページングパラメータ及び／又はページング計算式に基づいて、調整後のページングフレーム及び／又はページング時点を決定し、調整後のページングフレーム及び／又はページング時点に基づいてページングを送信するステップとを含む、前記ページング処理方法。
【請求項９】
前記方法は、
ユーザ機器（ＵＥ）にアンライセンスページング強化モードの指示を送信し、前記指示によって、ページングパラメータ、又はページング計算式を調整するように前記ＵＥに通知するステップをさらに含む
請求項８に記載のページング処理方法。
【請求項１０】
前記ページングパラメータ及び／又はページング計算式を調整するステップは、
ページングサイクルを減少させるステップを含む。
請求項８に記載のページング処理方法
【請求項１１】
前記ページングサイクルを減少させるステップは、
コアネットワーク側にページングサイクルを減少させる処理を行うことを通知するステップを含む
請求項１０に記載のページング処理方法。
【請求項１２】
前記ページングパラメータ及び／又はページング計算式を調整するステップは、
ページング計算式におけるパラメータを調整するステップを含む
請求項８に記載のページング処理方法。
【請求項１３】
前記ページング計算式におけるパラメータを調整するステップは、
再構成後の変数Ｎの値を再構成前の値より大きくするように、ページング計算式における変数Ｎを再構成するステップを含む、
請求項１２に記載のページング処理方法。
【請求項１４】
前記ページングパラメータ及び／又はページング計算式を調整するステップは、
ページング計算式における少なくとも１つの計算パラメータ及び数値を計算して、調整後のページング計算式を得るステップを含む
請求項８に記載のページング処理方法。
【請求項１５】
前記ページングパラメータ及び／又はページング計算式を調整するステップは、
ページングフレームにおけるページング時点を増加させるステップを含む
請求項８に記載のページング処理方法。
【請求項１６】
ＵＥであって、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第１処理ユニットを備える、前記ＵＥ。
【請求項１７】
前記ＵＥは、さらに、
ネットワーク側から送信されるアンライセンスページング強化モードの指示を受信する第１通信ユニットを備え、
それに応じて、前記第１処理ユニットは、アンライセンスページング強化モードの指示に基づいて、ページングパラメータ及び／又はページング計算式を調整することを決定する、
請求項１６に記載のＵＥ。
【請求項１８】
前記第１処理ユニットは、ページングサイクルを減少させる
請求項１６に記載のＵＥ。
【請求項１９】
前記第１処理ユニットは、ページング計算式におけるパラメータを調整する
請求項１６に記載のＵＥ。
【請求項２０】
前記第１処理ユニットは、再構成後の変数Ｎの値を再構成前の値より大きくするように、ページング計算式における変数Ｎを再構成する
請求項１９に記載のＵＥ。
【請求項２１】
前記第１処理ユニットは、ページング計算式における少なくとも１つの計算パラメータ及び数値を計算して、調整後のページング計算式を得る
請求項１６に記載のＵＥ。
【請求項２２】
前記第１処理ユニットは、ページングフレームにおけるページング時点を増加させる
請求項１６に記載のＵＥ。
【請求項２３】
ネットワーク機器であって、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第２処理ユニットと、
調整後のページングフレーム及び／又はページング時点に基づいてページングを送信する第２通信ユニットとを備える、前記ネットワーク機器。
【請求項２４】
前記第２通信ユニットは、ユーザ機器（ＵＥ）にアンライセンスページング強化モードの指示を送信し、前記指示によって、ページングパラメータ、又はページング計算式を調整するように前記ＵＥに通知する
請求項２３に記載のネットワーク機器。
【請求項２５】
前記第２処理ユニットは、ページングサイクルを減少させる
請求項２３に記載のネットワーク機器。
【請求項２６】
前記第２通信ユニットは、コアネットワーク側にページングサイクルを減少させる処理を行うことを通知する
請求項２５に記載のネットワーク機器。
【請求項２７】
前記第２処理ユニットは、ページング計算式におけるパラメータを調整する
請求項２３に記載のネットワーク機器。
【請求項２８】
前記第２処理ユニットは、再構成後の変数Ｎの値を再構成前の値より大きくするように、ページング計算式における変数Ｎを再構成する
請求項２７に記載のネットワーク機器。
【請求項２９】
前記第２処理ユニットは、ページング計算式における少なくとも１つの計算パラメータ及び数値を計算して、調整後のページング計算式を得る
請求項２３に記載のネットワーク機器。
【請求項３０】
前記第２処理ユニットは、ページングフレームにおけるページング時点を増加させる
請求項２３に記載のネットワーク機器。
【請求項３１】
ＵＥであって、
プロセッサと、プロセッサで実行できるコンピュータプログラムを格納するためのメモリとを備え、
前記プロセッサは、前記コンピュータプログラムを実行するとき、請求項１〜７のいずれか１項に記載の方法のステップを実行するように構成される、前記ＵＥ。
【請求項３２】
ネットワーク機器であって、
プロセッサと、プロセッサで実行できるコンピュータプログラムを格納するためのメモリとを備え、
前記プロセッサは、前記コンピュータプログラムを実行するとき、請求項８〜１５のいずれか１項に記載の方法のステップを実行するように構成される、前記ネットワーク機器。
【請求項３３】
コンピュータ記憶媒体であって、
コンピュータ実行可能命令が格納され、前記コンピュータ実行可能命令が実行されるとき、請求項１〜１５のいずれか１項に記載の方法のステップを実現する、前記コンピュータ記憶媒体。
【発明の詳細な説明】
【技術分野】
【０００１】
本発明は、情報処理技術分野に関し、特にページング処理方法、ユーザ機器（ＵＥ）、ネットワーク機器及びコンピュータ記憶媒体に関する。
【背景技術】
【０００２】
ページングは、ＬＴＥ及び５Ｇの重要なメカニズムであり、端末の位置管理を実現し、ＭＴ（端末終端）のサービスを開始しやすく、アイドル（ｉｄｌｅ）モードの省電力機能を実現することができる。ＬＴＥ及び５Ｇ技術は、ライセンス周波数帯域又はライセンス補助のアンライセンスアクセスネットワークにおいて、ページングがいずれもライセンス周波数帯域のプライマリセル（ＰＣｅｌｌ）に基づいて行うことができ、アンライセンスのセカンダリセル（ＳＣｅｌｌ）はページメッセージを転送しない。
【０００３】
しかしながら、先行技術は、アンライセンスのプライマリセセル（ＰＣｅｌｌ）においてページメッセージの配信をサポートしない。ＮＲシステムでは、ページングメカニズムがまだ完全に定義されていない。且つ先行技術では、ページメッセージの伝送信頼性をどのように保証するかについては具体的な定義を提供していない。
【発明の概要】
【発明が解決しようとする課題】
【０００４】
上記した技術的課題を解決するために、本発明の実施例は、ページング処理方法、ユーザ機器（ＵＥ）、ネットワーク機器及びコンピュータ記憶媒体を提供する。
【課題を解決するための手段】
【０００５】
本発明の実施例は、ユーザ機器（ＵＥ）に適用されるページング処理方法を提供し、前記方法は、
ページングパラメータ及び／又はページング計算式を調整して、調整後のページングパラメータ及び／又はページング計算式を取得するステップと、
調整後のページングパラメータ及び／又はページング計算式に基づいて、調整後のページングフレーム及び／又はページング時点を決定するステップとを含む。
【０００６】
本発明の実施例は、ネットワーク機器に適用されるページング処理方法を提供し、前記方法は、
ページングパラメータ及び／又はページング計算式を調整して、調整後のページングパラメータ及び／又はページング計算式を取得するステップと、
調整後のページングパラメータ及び／又はページング計算式に基づいて、調整後のページングフレーム及び／又はページング時点を決定し、調整後のページングフレーム及び／又はページング時点に基づいてページングを送信するステップとを含む。
【０００７】
本発明の実施例は、ＵＥを提供し、前記ＵＥは、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第１処理ユニットを備える。
【０００８】
本発明の実施例は、ネットワーク機器を提供し、前記ネットワーク機器は、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第２処理ユニットと、
調整後のページングフレーム及び／又はページング時点に基づいてページングを送信する第２通信ユニットとを備える。
【０００９】
本発明の実施例に係るユーザ機器（ＵＥ）は、プロセッサと、プロセッサで実行できるコンピュータプログラムを格納するためのメモリとを備える、
前記プロセッサは、前記コンピュータプログラムを実行するとき、前述した方法のステップを実行するように構成される。
【００１０】
本発明の実施例に係るネットワーク機器は、プロセッサと、プロセッサで実行できるコンピュータプログラムを格納するためのメモリとを備え、
前記プロセッサは、前記コンピュータプログラムを実行するとき、前述した方法のステップを実行するように構成される。
【００１１】
本発明の実施例に係るコンピュータ記憶媒体は、コンピュータ実行可能命令が格納され、前記コンピュータ実行可能命令が実行されるとき、前述した方法ステップを実現する。
【発明の効果】
【００１２】
本発明の実施例の技術案は、調整後のページングパラメータ及びページング計算式によって、ページングフレーム及び／又はページング時点を再決定することができる。それにより、アンライセンス周波数帯域におけるページングの信頼性を向上させることができるように、ページング回数を増加させる。
【図面の簡単な説明】
【００１３】
【図１】本発明の実施例に係るページング処理方法の例示的なフローチャートである。
【図２】本発明の実施例ユーザ機器の構成の例示的な構造図である。
【図３】本発明の実施例ネットワーク機器の構成の例示的な構造図である。
【図４】本発明の実施例のハードウェアアーキテクチャの概略図である。
【発明を実施するための形態】
【００１４】
本発明の実施例の特徴及び技術内容をより詳しく理解するために、以下、図面を参照しながら本発明の実施例の実現について詳細に説明し、添付の図面は参照説明用のものにすぎず、本発明の実施例を限定するためのものではない。
【００１５】
実施例１
本発明の実施例は、ユーザ機器（ＵＥ）に適用されるページング処理方法を提供し、図１に示されるように、次のステップを含む。
【００１６】
ステップ１０１において、ページングパラメータ及び／又はページング計算式を調整して、調整後のページングパラメータ及び／又はページング計算式を取得する。
【００１７】
ステップ１０２において、調整後のページングパラメータ及び／又はページング計算式に基づいて、調整後のページングフレーム及び／又はページング時点を決定する。
【００１８】
本実施例に係る技術案は、アンライセンスネットワークにおけるページング成功率を向上させるために、ネットワーク側及び端末側からそれぞれページング強化を行うことができる。本実施例は、次のような処理方式があり得る。即ち、ネットワーク機器（例えば、基地局）がＵＥ側とそれぞれ同一の調整ポリシーを実行でき、両方が同時に調整動作を開始して、それぞれ調整すればよく、次に、両側がいずれも調整したので、両方が調整後のページングフレーム及びページング時点を用いてページングの受送信を実行することができる。
【００１９】
なお、ネットワーク側（例えば、基地局）によって、ページング調整をトリガーしてもよく、ネットワーク側のトリガーシナリオは、ネットワーク側のネットワーク機器（例えば、基地局）がページングニーズ強化を発見し、又はＬＢＴ失敗のため、ページング応答が低い場合、強化ページングモードに入る必要があると決定でき、さらにページング計算式を補正し、又はページングパラメータを補正するなどの方式によってページングフレーム（ＰＦ）の数を増加させ、及び／又は、ページングフレームにおけるページングオケージョン（ＰＯ）の数を増加させることであり得る。
【００２０】
つまり、ステップ１０１の前、
ネットワーク側から送信されるアンライセンスページング強化モードの指示を受信するステップと、
アンライセンスページング強化モードの指示に基づいて、ページングパラメータ及び／又はページング計算式を調整することを決定するステップとをさらに含んでもよい。
【００２１】
本実施例は、ＵＥ側がページング強化を行う処理について説明する。
【００２２】
基地局は、システム情報においてアンライセンスページング強化モードを指示し、ＵＥが該指示を受信した後、ページング強化モードに入る。
【００２３】
なお、システム設定に１つのページング強化モードが存在する場合、直接にあるデフォルトの指示によって、ページング強化モードを行う必要があることをＵＥに通知することができる。システム設定に２種以上のページング強化モードが存在する場合、ＵＥがページング強化モードに入ることを指示すると同時に、ＵＥがどのページング強化モードに入るかを指示することができ、例えば、現在ページング強化モード１、２、３、４の複数が存在すれば、アンライセンスページング強化モードに入ることを指示すると同時に、ＵＥが例えば、ページング強化モード２に入ることを指示することができる。各種のページング強化モードが、１セットのページングパラメータ及びページング計算式の調整方式に対応することができ、異なるページング強化モードに対応するページングパラメータ及びページング計算式の調整方式が同一であってもよく、異なってもよく、又は、部分的に同一であってもよいことも理解されたい。
【００２４】
本実施例では、強化ページングモードの実現は、ページングパラメータ又はＰＦ及びＰＯ計算式を変更する方法により実現される。具体的な調整方法は、ページングサイクルを減少させる方法、ページング計算式におけるパラメータを調整する方法、ページング計算式における少なくとも１つの計算パラメータ及び数値を計算して、調整後のページング計算式を得る方法、ページングフレームにおけるページング時点を増加させる方法のうちの少なくとも１つを含むことができる。
【００２５】
以下、それぞれ前述したいくつかの調整方式について具体的に説明する。
【００２６】
１つ目は、ページングサイクルを減少させ、つまり、Ｔ値を減少させる。
【００２７】
この方法は、ページング強化モードの指示と組み合わせることなく、システム情報の補正により直接実現することができる。従って、この方法によって、ＵＥが強化ページングモードに入ることを感知しないことができる。しかしながら、基地局は、Ｔ値の補正は、コアネットワークのネットワーク要素、例えばＡＭＦ又はＭＭＥに通知する必要があるため、Ｔ値を直接補正することができない。
【００２８】
２つ目は、ページング計算式におけるパラメータを調整する。
【００２９】
具体的には、前記ページング計算式におけるパラメータを調整するステップは、
再構成後の変数Ｎの値を再構成前の値より大きくするように、ページング計算式における変数Ｎを再構成するステップを含む。つまり、ＰＦ計算のパラメータを補正する。式は、引き続きＳＦＮ  ｍｏｄ  Ｔ＝（Ｔ  ｄｉｖ  Ｎ）＊（ＵＥ＿ＩＤ  ｍｏｄ  Ｎ）に基づいて行われ、Ｎ値を配置するとき、強化ページングモードに入る場合、Ｎ値がＴ以下であれば、Ｎ値を増大することができ、例えば、１倍増加し、当然のことながら、さらに、より多くの倍数で増加してもよく、ここで挙げない。
【００３０】
３つ目は、ページング計算式における少なくとも１つの計算パラメータ及び数値を計算して、調整後のページング計算式を得る。ここで、この処理方式は、主にページング計算式におけるＴ値を減少させることができ、又はＮ値を増大させることができる。具体的には、Ｔ値を減少させる方式は、Ｔをある数値（例えば、Ａ）で減算、又は除算し、及び／又は、Ｎ値をあるデータ（例えば、Ｂ）で加算又は乗算する。
【００３１】
例えば、ＳＦＮ  ｍｏｄ  Ｔ＝（Ｔ  ｄｉｖ  ２＊Ｎ）＊（ＵＥ＿ＩＤ  ｍｏｄ  ２＊Ｎ）であり、即ち式においてＮ値に直接２を掛ける。ここで、２は一例であり、その他の値に変更してもよい。
【００３２】
４つ目は、ページングフレームにおけるページング時点を増加させる。
【００３３】
つまり、ＰＦのそれぞれにおけるＰＯ数を増加させる。
【００３４】
この方式は、ｓｕｂｆｒａｍｅ  ｐａｔｔｅｒｎを補正してＰＯ数の増加を実現することができる。現在、ＬＴＥの１つのＰＦにおいて、最も多くのＰＯは、４つであり得る。ＮＲアンライセンス周波数帯域において、強化ページングモードに入る必要があると、さらなるＰＯを増加させることができ、例えば、１つのＰＦにおけるＰＯを５つ、６つ以上に増加させることができる。
【００３５】
それでわかるように、上記した技術案を用いることによって、アンライセンスのページング強化モードの指示を受信した後、調整後のページングパラメータ及びページング計算式によって、ページングフレーム及び／又はページング時点を再決定することができる。それにより、アンライセンス周波数帯域におけるページングの信頼性を向上できるようにページング回数を増加させる。
【００３６】
実施例２
本発明の実施例は、ネットワーク機器に適用されるページング処理方法を提供し、
ページングパラメータ及び／又はページング計算式を調整して、調整後のページングパラメータ及び／又はページング計算式を取得するステップと、
調整後のページングパラメータ及び／又はページング計算式に基づいて、調整後のページングフレーム及び／又はページング時点を決定し、調整後のページングフレーム及び／又はページング時点に基づいてページングを送信するステップとを含む。
【００３７】
つまり、本実施例は、ネットワーク機器（例えば、基地局）がＵＥ側とそれぞれ同一の調整ポリシーを実行でき、両方が同時に調整動作を開始し、それぞれ調整すればよく、次に、両側がいずれも調整するので、両方が調整後のページングフレーム及びページング時点を用いてページングの送受信を行うことができるという処理方式が存在し得る。
【００３８】
なお、ユーザ機器（ＵＥ）にアンライセンスページング強化モードの指示を送信し、前記指示によって、ページングパラメータ、又はページング計算式を調整するように前記ＵＥに通知するステップをさらに含んでもよい。
【００３９】
本実施例に係る技術案は、アンライセンスネットワークにおけるページング成功率を向上させるために、ネットワーク側及び端末側からそれぞれページング強化を行うことができる。
【００４０】
ネットワーク側のトリガーシナリオは、ネットワーク側のネットワーク機器（例えば、基地局）がページングニーズ強化を発見し、又はＬＢＴ失敗のため、ページング応答が低い場合、強化ページングモードに入る必要があると決定でき、さらにページング計算式を補正し、又はページングパラメータを補正するなどの方式によってページングフレーム（ＰＦ）の数を増加させ、及び／又は、ページングフレームにおけるページングオケージョン（ＰＯ）の数を増加させることであり得る。
【００４１】
本実施例は、ＵＥ側がページング強化を行う処理について説明する。
【００４２】
基地局は、システム情報においてアンライセンスページング強化モードを指示し、ＵＥが該指示を受信した後、ページング強化モードに入る。
【００４３】
なお、システム設定に１つのページング強化モードが存在する場合、直接あるデフォルトの指示によって、ページング強化モードを行う必要があることをＵＥに通知することができる。システム設定に２種以上のページング強化モードが存在する場合、ＵＥがページング強化モードに入ることを指示すると同時に、ＵＥがどのページング強化モードに入るかを指示することができ、例えば、現在ページング強化モード１、２、３、４の複数が存在すれば、アンライセンスページング強化モードに入ることを指示すると同時に、ＵＥが例えば、ページング強化モード２に入ることを指示することができる。各種のページング強化モードが、１セットのページングパラメータ及びページング計算式の調整方式に対応することができ、異なるページング強化モードに対応するページングパラメータ及びページング計算式の調整方式が同一であってもよく、異なってもよく、又は、部分的に同一であってもよいことも理解されたい。
【００４４】
本実施例では、強化ページングモードの実現は、ページングパラメータ又はＰＦ及びＰＯ計算式を変更する方法により実現される。具体的な調整方法は、ページングサイクルを減少させる方法、ページング計算式におけるパラメータを調整する方法、ページング計算式における少なくとも１つの計算パラメータ及び数値を計算して、調整後のページング計算式を得る方法、ページングフレームにおけるページング時点を増加させる方法のうちの少なくとも１つを含むことができる。
【００４５】
以下、それぞれ前述したいくつかの調整方式について具体的に説明する。
【００４６】
１つ目は、ページングサイクルを減少させ、つまり、Ｔ値を減少させる。
【００４７】
この方法は、ページング強化モードの指示と組み合わせることなく、システム情報の補正により直接実現することができる。従って、この方法によって、ＵＥが強化ページングモードに入ることを感知しないことができる。しかしながら、基地局は、コアネットワーク側にページングサイクルを減少させる処理を行うことを通知する必要があるため、Ｔ値を直接補正することができず、例えば、コアネットワーク要素、例えばＡＭＦ又はＭＭＥに通知することができる。
【００４８】
２つ目は、ページング計算式におけるパラメータを調整する。
【００４９】
具体的には、前記ページング計算式におけるパラメータを調整するステップは、
再構成後の変数Ｎの値を再構成前の値より大きくするように、ページング計算式における変数Ｎを再構成するステップを含む。つまり、ＰＦ計算のパラメータを補正する。式は、引き続きＳＦＮ  ｍｏｄ  Ｔ＝（Ｔ  ｄｉｖ  Ｎ）＊（ＵＥ＿ＩＤ  ｍｏｄ  Ｎ）に基づいて行われ、Ｎ値を配置するとき、強化ページングモードに入る場合、Ｎ値がＴ以下であれば、Ｎ値を増大することができ、例えば、１倍増加し、当然のことながら、さらに、より多くの倍数で増加してもよく、ここで挙げない。
【００５０】
３つ目は、ページング計算式における少なくとも１つの計算パラメータ及び数値を計算して、調整後のページング計算式を得る。ここで、この処理方式は、主にページング計算式におけるＴ値を減少させることができ、又はＮ値を増大することができる。具体的には、Ｔ値を減少させる方式は、Ｔをある数値（例えば、Ａ）で減算、又は除算し、及び／又は、Ｎ値をあるデータ（例えば、Ｂ）で加算又は乗算することであり得る。
【００５１】
例えば、ＳＦＮ  ｍｏｄ  Ｔ＝（Ｔ  ｄｉｖ  ２＊Ｎ）＊（ＵＥ＿ＩＤ  ｍｏｄ  ２＊Ｎ）であり、即ち式においてＮ値に直接２を掛ける。ここで、２は一例であり、その他の値に変更してもよい。
【００５２】
４つ目は、ページングフレームにおけるページング時点を増加させる。
【００５３】
つまり、ＰＦのそれぞれにおけるＰＯ数を増加させる。
【００５４】
この方式は、ｓｕｂｆｒａｍｅ  ｐａｔｔｅｒｎを補正してＰＯ数の増加を実現することができる。現在、ＬＴＥの１つのＰＦにおいて、最も多くのＰＯは、４つであり得る。ＮＲアンライセンス周波数帯域において、強化ページングモードに入る必要があると、さらなるＰＯを増加させることができ、例えば、１つのＰＦにおけるＰＯを５つ、６つ以上に増加させることができる。
【００５５】
それでわかるように、上記した技術案を用いることによって、アンライセンスのページング強化モードの指示を受信した後、調整後のページングパラメータ及びページング計算式によって、ページングフレーム及び／又はページング時点を再決定することができる。それにより、アンライセンス周波数帯域におけるページングの信頼性を向上できるように、ページング回数を増加させる。
【００５６】
実施例３
本発明の実施例は、ユーザ機器（ＵＥ）を提供し、図２に示されるように、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第１処理ユニット２２を備える。
【００５７】
本実施例に係る技術案は、アンライセンスネットワークにおけるページング成功率を向上させるために、ネットワーク側及び端末側からそれぞれページング強化を行うことができる。
【００５８】
本実施例は、ネットワーク機器（例えば、基地局）がＵＥ側とそれぞれ同一の調整ポリシーを実行でき、両方が同時に調整動作を開始し、それぞれ調整すればよく、次に、両側がいずれも調整するので、両方が調整後のページングフレーム及びページング時点を用いてページングの送受信を行うことができるという処理方式が存在し得る。
【００５９】
ネットワーク側のトリガーシナリオは、ネットワーク側のネットワーク機器（例えば、基地局）がページングニーズ強化を発見し、又はＬＢＴ失敗のため、ページング応答が低い場合、強化ページングモードに入る必要があると決定でき、さらにページング計算式を補正し、又はページングパラメータを補正するなどの方式によってページングフレーム（ＰＦ）の数を増加させ、及び／又は、ページングフレームにおけるページングオケージョン（ＰＯ）の数を増加させることであり得る。すなわち前記ＵＥは、ネットワーク側から送信されるアンライセンスページング強化モードの指示を受信する第１通信ユニット２１をさらに備え、
それに応じて、前記第１処理ユニット２２、アンライセンスページング強化モードの指示に基づいて、ページングパラメータ及び／又はページング計算式を調整することを決定する。
【００６０】
本実施例は、ＵＥ側がページング強化を行う処理について説明する。
【００６１】
基地局は、システム情報においてアンライセンスページング強化モードを指示し、ＵＥが該指示を受信した後、ページング強化モードに入る。
【００６２】
なお、システム設定に１つのページング強化モードが存在する場合、直接あるデフォルトの指示によって、ＵＥがページング強化モードを行う必要があることを通知することができる。システム設定に２種以上のページング強化モードが存在する場合、ＵＥがページング強化モードに入ることを指示すると同時に、ＵＥがどのページング強化モードに入るかを指示することができ、例えば、現在ページング強化モード１、２、３、４の複数存在すれば、アンライセンスページング強化モードに入ることを指示すると同時に、ＵＥが例えば、ページング強化モード２に入ることを指示することができる。各種のページング強化モードが、１セットのページングパラメータ及びページング計算式の調整方式に対応することができ、異なるページング強化モードに対応するページングパラメータ及びページング計算式の調整方式が同一であってもよく、異なってもよく、又は、部分的に同一であってもよいことも理解されたい。
【００６３】
本実施例では、強化ページングモードの実現は、ページングパラメータ又はＰＦ及びＰＯ計算式を変更する方法により実現される。具体的な調整方法は、ページングサイクルを減少させる方法、ページング計算式におけるパラメータを調整する方法、ページング計算式における少なくとも１つの計算パラメータ及び数値を計算して、調整後のページング計算式を得る方法、ページングフレームにおけるページング時点を増加させる方法のうちの少なくとも１つを含むことができる。
【００６４】
以下、それぞれ前述したいくつかの調整方式について具体的に説明する。
【００６５】
１つ目は、第１処理ユニット２２は、ページングサイクルを減少させ、つまり、Ｔ値を減少させる。
【００６６】
この方法は、ページング強化モードの指示と組み合わせることなく、システム情報の補正により直接実現することができる。従って、この方法によって、ＵＥが強化ページングモードに入ることを感知しないことができる。しかしながら、基地局は、Ｔ値の補正にはコアネットワークネットワーク要素、例えばＡＭＦ又はＭＭＥに通知する必要があるため、Ｔ値を直接補正することができない。
【００６７】
２つ目は、第１処理ユニット２２は、ページング計算式におけるパラメータを調整する。
【００６８】
具体的には、前記ページング計算式におけるパラメータを調整するステップは、
再構成後の変数Ｎの値を再構成前の値より大きくするように、ページング計算式における変数Ｎを再構成するステップを含む。つまり、ＰＦ計算のパラメータを補正する。式は、引き続きＳＦＮ  ｍｏｄ  Ｔ＝（Ｔ  ｄｉｖ  Ｎ）＊（ＵＥ＿ＩＤ  ｍｏｄ  Ｎ）に基づいて行われ、Ｎ値を配置するとき、強化ページングモードに入る場合、Ｎ値がＴ以下であれば、Ｎ値を増大することができ、例えば、１倍増加し、当然のことながら、さらに、より多くの倍数で増加してもよく、ここで挙げない。
【００６９】
３つ目は、第１処理ユニット２２は、ページング計算式における少なくとも１つの計算パラメータ及び数値を計算して、調整後のページング計算式を得る。ここで、この処理方式は、主にページング計算式におけるＴ値を減少させることができ、又はＮ値を増大することができる。具体的には、Ｔ値を減少させる方式は、Ｔをある数値（例えば、Ａ）で減算、又は除算し、及び／又は、Ｎ値をあるデータ（例えば、Ｂ）で加算又は乗算することであり得る。
【００７０】
例えば、ＳＦＮ  ｍｏｄ  Ｔ＝（Ｔ  ｄｉｖ  ２＊Ｎ）＊（ＵＥ＿ＩＤ  ｍｏｄ  ２＊Ｎ）であり、即ち式においてＮ値に直接２を掛ける。ここで、２は一例であり、その他の値に変更してもよい。
【００７１】
４つ目は、ページングフレームにおけるページング時点を増加させる。
【００７２】
つまり、ＰＦのそれぞれにおけるＰＯ数を増加させる。
【００７３】
この方式は、ｓｕｂｆｒａｍｅ  ｐａｔｔｅｒｎを補正してＰＯ数の増加を実現することができる。現在、ＬＴＥの１つのＰＦにおいて、最も多くのＰＯは、４つであり得る。ＮＲアンライセンス周波数帯域において、強化ページングモードに入る必要があると、さらなるＰＯを増加させることができ、例えば、１つのＰＦにおけるＰＯを５つ、６つ以上に増加させることができる。
【００７４】
それでわかるように、上記した技術案を用いることによって、アンライセンスのページング強化モードの指示を受信した後、調整後のページングパラメータ及びページング計算式によって、ページングフレーム及び／又はページング時点を再決定することができる。それにより、アンライセンス周波数帯域におけるページングの信頼性を向上できるように、ページング回数を増加させる。
【００７５】
実施例４
本発明の実施例は、ネットワーク機器を提供し、図３に示されるように、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第２処理ユニット３２と、
調整後のページングフレーム及び／又はページング時点に基づいてページングを送信する第２通信ユニット３１とを備える。
【００７６】
本実施例に係る技術案は、アンライセンスネットワークにおけるページング成功率を向上させるために、ネットワーク側及び端末側からそれぞれページング強化を行うことができる。
【００７７】
本実施例は、ネットワーク機器（例えば、基地局）がＵＥ側とそれぞれ同一の調整ポリシーを実行でき、両方が同時に調整動作を開始し、それぞれ調整すればよく、次に、両側がいずれも調整するので、両方が調整後のページングフレーム及びページング時点を用いてページングの送受信を行うことができるという処理方式が存在し得る。
【００７８】
なお、ネットワーク側は、ＵＥがページング強化処理を行うようにトリガーし、ネットワーク側のトリガーシナリオは、ネットワーク側のネットワーク機器（例えば、基地局）がページングニーズ強化を発見し、又はＬＢＴ失敗のため、ページング応答が低い場合、強化ページングモードに入る必要があると決定でき、さらにページング計算式を補正し、又はページングパラメータを補正するなどの方式によってページングフレーム（ＰＦ）の数を増加させ、及び／又は、ページングフレームにおけるページングオケージョン（ＰＯ）の数を増加させることであり得る。つまり、前記第２通信ユニット３１は、ユーザ機器（ＵＥ）にアンライセンスページング強化モードの指示を送信し、前記指示によって、前記ＵＥがページングパラメータ、又はページング計算式を調整することを通知する．
本実施例は、ＵＥ側がページング強化を行う処理について説明する。
【００７９】
基地局は、システム情報においてアンライセンスページング強化モードを指示し、ＵＥが該指示を受信した後、ページング強化モードに入る。
【００８０】
なお、システム設定に１つのページング強化モードが存在する場合、直接あるデフォルトの指示によって、ＵＥがページング強化モードを行う必要があることを通知することができる。システム設定に２種以上のページング強化モードが存在する場合、ＵＥがページング強化モードに入ることを指示すると同時に、ＵＥがどのページング強化モードに入るかを指示することができ、例えば、現在ページング強化モード１、２、３、４の複数が存在すれば、アンライセンスページング強化モードに入ることを指示すると同時に、ＵＥが例えば、ページング強化モード２に入ることを指示することができる。ことも理解されたい、各種のページング強化モードが、１セットのページングパラメータ及びページング計算式の調整方式に対応することができ、異なるページング強化モードに対応するページングパラメータ及びページング計算式の調整方式が同一であってもよく、異なってもよく、又は、部分的に同一であってもよい。
【００８１】
本実施例では、強化ページングモードの実現は、ページングパラメータ又はＰＦ及びＰＯ計算式を変更する方法により実現される。具体的な調整方法は、ページングサイクルを減少させる方法、ページング計算式におけるパラメータを調整する方法、ページング計算式における少なくとも１つの計算パラメータ及び数値を計算して、調整後のページング計算式を得る方法、ページングフレームにおけるページング時点を増加させる方法のうちの少なくとも１つを含むことができる。
【００８２】
以下、それぞれ前述したいくつかの調整方式について具体的に説明する。
【００８３】
１つ目は、前記ネットワーク機器は、
ページングサイクルを減少させ、つまり、Ｔ値を減少させる第２処理ユニット３２をさらに備える。
【００８４】
この方法は、ページング強化モードの指示と組み合わせることなく、システム情報の補正により直接実現することができる。従って、この方法によって、ＵＥが強化ページングモードに入ることを感知しないことができる。しかしながら、基地局は、Ｔ値を直接補正することができない、コアネットワーク側にページングサイクルを減少させる処理を行うことを通知する必要があるため、例えば、コアネットワーク要素、例えばＡＭＦ又はＭＭＥに通知することができる。
【００８５】
２つ目は、第２処理ユニット３２は、ページング計算式におけるパラメータを調整する。
【００８６】
具体的には、前記ページング計算式におけるパラメータを調整するステップは、
再構成後の変数Ｎの値を再構成前の値より大きくするように、ページング計算式における変数Ｎを再構成するステップを含む。つまり、ＰＦ計算のパラメータを補正する。式は、引き続きＳＦＮ  ｍｏｄ  Ｔ＝（Ｔ  ｄｉｖ  Ｎ）＊（ＵＥ＿ＩＤ  ｍｏｄ  Ｎ）に基づいて行われ、Ｎ値を配置するとき、強化ページングモードに入る場合、Ｎ値がＴ以下であれば、Ｎ値を増大することができ、例えば、１倍増加し、当然のことながら、さらに、より多くの倍数で増加してもよく、ここで挙げない。
【００８７】
３つ目は、第２処理ユニット３２は、ページング計算式における少なくとも１つの計算パラメータ及び数値を計算して、調整後のページング計算式を得る。ここで、この処理方式は、主にページング計算式におけるＴ値を減少させることができ、又はＮ値を増大することができる。具体的には、Ｔ値を減少させる方式は、Ｔをある数値（例えば、Ａ）で減算、又は除算し、及び／又は、Ｎ値をあるデータ（例えば、Ｂ）で加算又は乗算することであり得る。
【００８８】
例えば、ＳＦＮ  ｍｏｄ  Ｔ＝（Ｔ  ｄｉｖ  ２＊Ｎ）＊（ＵＥ＿ＩＤ  ｍｏｄ  ２＊Ｎ）であり、即ち式においてＮ値に直接２を掛ける。ここで、２は一例であり、その他の値に変更してもよい。
【００８９】
４つ目は、ページングフレームにおけるページング時点を増加させる。
【００９０】
つまり、ＰＦのそれぞれにおけるＰＯ数を増加させる。
【００９１】
この方式は、ｓｕｂｆｒａｍｅ  ｐａｔｔｅｒｎを補正してＰＯ数の増加を実現することができる。現在、ＬＴＥの１つのＰＦにおいて、最も多くのＰＯは、４つであり得る。ＮＲアンライセンス周波数帯域において、強化ページングモードに入る必要があると、さらなるＰＯを増加させることができ、例えば、１つのＰＦにおけるＰＯを５つ、６つ以上に増加させることができる。
【００９２】
それでわかるように、上記した技術案を用いることによって、アンライセンスのページング強化モードの指示を受信した後、調整後のページングパラメータ及びページング計算式によって、ページングフレーム及び／又はページング時点を再決定することができる。それにより、アンライセンス周波数帯域におけるページングの信頼性を向上できるように、ページング回数を増加させる。
【００９３】
本発明の実施例は、ユーザ機器、又はネットワーク機器のハードウェア構成アーキテクチャをさらに提供し、図４に示されるように、少なくとも１つのプロセッサ４１と、メモリ４２と、少なくとも１つのネットワークインターフェース４３とを備える。ユニットのそれぞれがバスシステム４４を介してカップリングされる。バスシステム４４は、これらのユニットの間の接続通信を実現するように構成される。バスシステム４４は、データバスを備えるほか、電源バスと、制御バスと、状態信号バスとをさらに備える。しかしながら、明確に説明するために、図４において様々なバスをいずれもバスシステム４４で示すことを理解できる。
【００９４】
本発明の実施例におけるメモリ４２は、揮発性メモリ又は不揮発性メモリであってもよく、又は、揮発性及び不揮発性メモリの両者を含んでもよいことを理解できる。
【００９５】
一部の実施形態では、メモリ４２には、実行可能なモジュール又はデータ構造、又はそれらのサブセット、又はそれらの拡張セット：
オペレーティングシステム４２１及びアプリケーションプログラム４２２という元素が格納される。
【００９６】
前記プロセッサ４１は、前述した実施例１の方法ステップを処理できるように構成され、ここで、繰り返し説明しない。
【００９７】
本発明の実施例に係るコンピュータ記憶媒体は、コンピュータ実行可能命令が格納され、前記コンピュータ実行可能命令が実行されるとき、前述した実施例１の方法ステップを実行する。
【００９８】
本発明の実施例の上記の装置は、ソフトウェア機能モジュールの形態で実現されて独立した製品として販売又は使用される場合、１つのコンピュータ読み取り可能な記憶媒体に格納されてもよい。このような理解に基づいて、本発明の実施例の技術的解決手段は、本質的に又は従来技術に貢献する部分がソフトウェア製品の形態で体現されてもよく、該コンピュータソフトウェア製品は、１つの記憶媒体に格納され、一台のコンピュータ装置（パーソナルコンピュータ、サーバ、又はネットワーク機器などであってもよい）に本発明の各施例に記載の方法の全部又は一部を実行させるためのいくつかのコマンドを含む。前述した記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスクなどの、プロクラムコードを記憶できる様々な媒体を含む。このように、本発明の実施例は、いかなる特定のハードウェアとソフトウェアとの組み合わせに限定されるものではない。
【００９９】
それに応じて、本発明の実施例は、コンピュータ記憶媒体をさらに提供し、コンピュータプログラムが格納され、該コンピュータプログラムが、本発明の実施例のデータスケジューリング方法を実行するように構成される。
【産業上の利用可能性】
【０１００】
例示的なものとして、本発明の好適な実施例が開示されているが、当業者であれば、様々な改良、追加や置換が可能であることを意識でき、従って、本発明の範囲は上記の実施例に限定されるものではない。
【図１】
2021514559.tif 000003
【図２】
2021514559.tif 000004
【図３】
2021514559.tif 000005
【図４】
2021514559.tif 000006
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に適用されるページング処理方法であって、
ページングパラメータ及び／又はページング計算式を調整して、調整後のページングパラメータ及び／又はページング計算式を取得するステップと、
調整後のページングパラメータ及び／又はページング計算式に基づいて、調整後のページングフレーム及び／又はページング時点を決定するステップとを含む、前記ページング処理方法。
【請求項２】
ネットワーク側から送信されるアンライセンスページング強化モードの指示を受信するステップと、
アンライセンスページング強化モードの指示に基づいて、ページングパラメータ及び／又はページング計算式を調整することを決定するステップとをさらに含む
請求項１に記載のページング処理方法。
【請求項３】
前記ページングパラメータ及び／又はページング計算式を調整するステップは、
ページングサイクルを減少させるステップを含む
請求項１に記載のページング処理方法。
【請求項４】
前記ページングパラメータ及び／又はページング計算式を調整するステップは、
ページング計算式におけるパラメータを調整するステップを含む
請求項１に記載のページング処理方法。
【請求項５】
前記ページング計算式におけるパラメータを調整するステップは、
再構成後の変数Ｎの値を再構成前の値より大きくするように、ページング計算式における変数Ｎを再構成するステップを含む
請求項４に記載のページング処理方法。
【請求項６】
前記ページングパラメータ及び／又はページング計算式を調整するステップは、
ページング計算式における少なくとも１つの計算パラメータ及び数値を計算して、調整後のページング計算式を得るステップを含む
請求項１に記載のページング処理方法。
【請求項７】
前記ページングパラメータ及び／又はページング計算式を調整するステップは、
ページングフレームにおけるページング時点を増加させるステップを含む
請求項１に記載のページング処理方法。
【請求項８】
ＵＥであって、
ページングパラメータ及び／又はページング計算式を調整して、調整後のページングパラメータ及び／又はページング計算式を取得し、調整後のページングパラメータ及び／又はページング計算式に基づいて、調整後のページングフレーム及び／又はページング時点を決定する第１処理ユニットを備える、前記ＵＥ。
【請求項９】
前記ＵＥは、さらに、
ネットワーク側から送信されるアンライセンスページング強化モードの指示を受信する第１通信ユニットを備え、
前記第１処理ユニットは、アンライセンスページング強化モードの指示に基づいて、ページングパラメータ及び／又はページング計算式を調整することを決定するように構成される、
請求項８に記載のＵＥ。
【請求項１０】
前記第１処理ユニットは、ページングサイクルを減少させるように構成される
請求項８に記載のＵＥ。
【請求項１１】
前記第１処理ユニットは、ページング計算式におけるパラメータを調整するように構成される
請求項８に記載のＵＥ。
【請求項１２】
前記第１処理ユニットは、再構成後の変数Ｎの値を再構成前の値より大きくするように、ページング計算式における変数Ｎを再構成するように構成される
請求項１１に記載のＵＥ。
【請求項１３】
前記第１処理ユニットは、ページング計算式における少なくとも１つの計算パラメータ及び数値を計算して、調整後のページング計算式を得るように構成される
請求項８に記載のＵＥ。
【請求項１４】
前記第１処理ユニットは、ページングフレームにおけるページング時点を増加させるように構成される
請求項８に記載のＵＥ。
【請求項１５】
コンピュータ記憶媒体であって、
コンピュータ実行可能命令が格納され、前記コンピュータ実行可能命令が実行されるとき、請求項１〜７のいずれか１項に記載の方法のステップを実現する、前記コンピュータ記憶媒体。
【国際調査報告】
2021514559.tif 000007
2021514559.tif 000008
2021514559.tif 000009
2021514559.tif 000010